(57)【要約】【課題】  編集作業における作業ミスの低減または軽減を図るとともに、効率のよい編集作業を実現することのできるデータ編集記録装置を提供すること。【解決手段】  編集システム１００は、入力されたコンテンツデータをＨＤに録画させる録画制御部１０３と、コンテンツデータの編集の際に、編集に必要な操作画面を生成する編集画像制御部１０８と、を有し、コンテンツデータの編集を行った際に、編集されたコンテンツデータと当該コンテンツデータが編集される際に用いられた画像データおよび音（操作音）データを関連付けてＨＤ１０に格納するようになっている。【選択図】  図１
2005094391.tif 000002
【特許請求の範囲】
【請求項１】
音データまたは映像データの少なくとも何れか一方を有するコンテンツデータの編集を行う編集手段と、
当該コンテンツデータの編集を行う際に、当該コンテンツデータの編集作業の内容をユーザに告知する告知手段と、
前記編集されたコンテンツデータと前記告知手段によってユーザに告知する際に用いられる告知データとが関連付けて格納される格納手段と、
を備えることを特徴とするデータ編集記録装置。
【請求項２】
請求項１に記載のデータ編集記録装置において、
複数の前記編集作業の内容を示す編集項目が連続して実行される場合に、
前記格納手段には、複数の編集項目のうち少なくとも一の編集項目に係る告知データが前記編集されたコンテンツデータと関連付けて格納されることを特徴とするデータ編集記録装置。
【請求項３】
請求項１または２に記載のデータ編集記録装置において、
前記編集作業に用いられ、当該編集作業の指示が入力される操作入力手段と、
前記編集手段における前記コンテンツデータの編集中に、前記操作入力手段に入力される編集作業のための指示を検出する検出手段と、
少なくとも一の編集作業中に、前記検出手段による当該編集作業のための指示の入力に基づいて、当該編集作業に係る告知データの格納手段の可否を制御する制御手段と、
を備えることを特徴とするデータ編集記録装置。
【請求項４】
請求項１乃至３の何れか一項に記載のコンテンツデータ編集記録装置において、
前記告知手段による告知が画像によって行われる場合に、
前記編集作業の内容を示す画像データを生成する生成手段を備え、
前記告知手段が、前記生成された画像データを用いて告知するとともに、前記格納手段には、前記生成された画像データが前記告知データとして前記コンテンツデータと関連付けて格納されることを特徴とするデータ編集記録装置。
【請求項５】
請求項１乃至３の何れか一項に記載のコンテンツデータ編集記録装置において、
前記告知手段による告知が音によって行われる場合に、
前記編集作業の内容を示す音データを予め記憶する記憶手段を備え、
前記格納手段には、前記編集手段における編集作業の内容を示す音データが前記告知データとして前記コンテンツデータと関連付けて格納されることを特徴とするデータ編集記録装置。
【請求項６】
請求項１乃至５の何れか一項に記載のデータ編集記録装置において、
前記格納手段には、前記コンテンツデータの編集に係る履歴情報が前記コンテンツデータおよび前記告知データに関連付けて格納されることを特徴とするデータ編集記録装置。
【請求項７】
請求項６に記載のデータ編集記録装置において、
前記格納手段には、編集を開始した時刻を示す編集開始時刻、編集を終了した時刻を示す編集終了時刻、または、編集項目の少なくとも何れか一つが前記履歴情報として格納されることを特徴とするデータ編集記録装置。
【請求項８】
音データまたは映像データの少なくとも何れか一方を有するコンテンツデータの編集を行う際に、編集された前記コンテンツデータを格納手段に記録するデータ編集記録方法であって、
前記コンテンツデータの編集作業中に、前記コンテンツデータの編集作業の内容をユーザに告知する告知工程と、
前記コンテンツデータの編集作業終了後に、前記編集されたコンテンツデータと前記告知に用いられた告知データとを関連付けて前記格納手段に格納させる格納工程と、
を含むことを特徴とするデータ編集記録方法。
【請求項９】
コンピュータによって、音データまたは映像データの少なくとも何れか一方を有するコンテンツデータの編集を行うデータ編集記録プログラムであって、
前記コンピュータを、
前記コンテンツデータの編集を行う編集手段、
前記コンテンツデータの編集を行う際に、告知手段によって当該コンテンツデータの編集作業の内容をユーザに告知させる告知制御手段、
前記編集されたコンテンツデータと前記告知手段によってユーザに告知する際に用いられる告知データとを関連付けて格納手段に格納させる格納制御手段、
として機能させることを特徴とするデータ編集記録プログラム。
【請求項１０】
請求項９に記載のデータ編集記録プログラムを記録したコンピュータで読み取り可能な情報記録媒体。
【発明の詳細な説明】
【技術分野】
【０００１】
本発明は、コンテンツデータを編集する際に当該画像データとともに編集履歴の情報を記録するデータ編集記録装置の技術分野に属する。
【背景技術】
【０００２】
近年、小型のデジタルカメラやデジタルビデオカメラ等の発達により、動画および静止画を問わず、ユーザが景色や人物をデジタル画像として撮影することが多くなってきている。また、デジタル化された画像では、従来のアナログ画像よりその取り扱いが容易になっており、最近では、ユーザが自ら撮影した画像を編集する機会が増えている。
【０００３】
従来、このような画像編集装置には、編集された画像データとともに、編集履歴の情報を保存するものがあり、特に、最近では、コンテンツデータを編集し、当該編集されたコンテンツデータを保存する際に、編集内容を示す編集履歴の情報とともに、編集後の画像データのみならず編集される前の元画像データも保存するものが知られている。
【０００４】
この元画像データも保存する画像編集装置は、画像編集を行う際に、画像編集の対象となる元画像とこの元画像と同じ若しくは複製コピーした編集を行う画像とを登録する登録部と、画像編集を終えて編集用画像を保存する際、この編集履歴を保存する編集履歴保存部と、を備え、この編集履歴の内容項目を少なくとも削除及び項目順序の入れ替えが行えるようになっている（例えば、特許文献１参照）。
【特許文献１】特開２００１−２０９８１８号公報
【発明の開示】
【発明が解決しようとする課題】
【０００５】
しかしながら、上述のような画像編集装置にあっては、編集履歴が増加すると、単純な文字表記だけではその編集画像を特定することが容易に行うことができなくなる。特に、ユーザが編集作業に不慣れな場合には、編集作業自体の作業効率も低下することとなる。
【０００６】
本発明は、上記の各問題点に鑑みて為されたもので、その課題の一例としては、編集作業における作業ミスの低減または軽減を図るとともに、効率のよい編集作業を実現することのできるデータ編集記録装置を提供することにある。
【課題を解決するための手段】
【０００７】
上記の課題を解決するために、請求項１に記載の発明は、音データまたは映像データの少なくとも何れか一方を有するコンテンツデータの編集を行う編集手段と、当該コンテンツデータの編集を行う際に、当該コンテンツデータの編集作業の内容をユーザに告知する告知手段と、前記編集されたコンテンツデータと前記告知手段によってユーザに告知する際に用いられる告知データとが関連付けて格納される格納手段と、を備えた構成を有している。
【０００８】
また、請求項８に記載の発明は、音データまたは映像データの少なくとも何れか一方を有するコンテンツデータの編集を行う際に、編集された前記コンテンツデータを格納手段に記録するデータ編集記録方法であって、前記コンテンツデータの編集作業中に、前記コンテンツデータの編集作業の内容をユーザに告知する告知工程と、前記コンテンツデータの編集作業終了後に、前記編集されたコンテンツデータと前記告知に用いられた告知データとを関連付けて前記格納手段に格納させる格納工程と、を含む構成を有している。
【０００９】
また、請求項９に記載の発明は、コンピュータによって、音データまたは映像データの少なくとも何れか一方を有するコンテンツデータの編集を行うデータ編集記録プログラムであって、前記コンピュータを、前記コンテンツデータの編集を行う編集手段、前記コンテンツデータの編集を行う際に、告知手段によって当該コンテンツデータの編集作業の内容をユーザに告知させる告知制御手段、前記編集されたコンテンツデータと前記告知手段によってユーザに告知する際に用いられる告知データとを関連付けて格納手段に格納させる格納制御手段、として機能させる構成を有している。
【００１０】
また、請求項１０に記載の発明は、請求項９に記載のデータ編集記録プログラムを記録したコンピュータで読み取り可能な構成を有している。
【発明を実施するための最良の形態】
【００１１】
次に、本発明に好適な実施の形態について、図面に基づいて説明する。
【００１２】
なお、以下に説明する各実施形態は、編集システムに対して本願の編集履歴記録装置を適用した場合の実施形態である。
【００１３】
〔第１実施形態〕
まず、図１〜図４を用いて編集システムの第１実施形態について説明する。
【００１４】
本実施形態の編集システムは、コンテンツデータの編集を行った際に、編集されたコンテンツデータと当該コンテンツデータが編集される際に用いられた画像データおよび音（操作音）データを関連付けてハードディスクに格納するようになっている。
【００１５】
まず、図１〜図３を用いて本実施形態における編集システムの構成について説明する。
【００１６】
なお、図１は、本実施形態における編集システムのシステム構成を示すブロック図であり、図２は、本実施形態の編集された一連の映像データを記録するデータベース構造の一例である。
【００１７】
また、図３は、本実施形態におけるコンテンツデータを編集する際の編集画像データの一例である。
【００１８】
本実施形態の編集システム１００は、図１に示すように、アンテナＡＴを介して各放送局から送信された放送波を受信するＴＶ受信部１０１と、ＴＶ受信部１０１から出力された映像信号およびそれに係る音声信号と外部から入力されたアナログの映像信号および音声信号とが入力され、当該入力された映像信号および音声信号の入力を選択的に切り換える入力切換部１０２と、入力切換部１０２を介して入力された映像信号および音声信号を映像データおよび音声データ（以下、映像データおよび音声データを併せてコンテンツデータという。）に変換してハードディスク（以下、ＨＤ１０という。）に録画させる録画制御部１０３と、ＨＤ１０に記録されたコンテンツデータを再生する再生制御部１０４と、コンテンツデータ、編集されたコンテンツデータおよびその編集された際のコンテンツデータに関するデータを記憶するＨＤ１０を有し、当該ＨＤ１０における各データの読み込みまたは書き込み制御を行うハードディスクドライブ（以下、ＨＤＤという。）１０５と、図示しない操作部またはリモコンを介して入力された当該編集システム１００に係る操作指令を受信する操作入力制御部１０６と、コンテンツデータの編集の際に、操作入力制御部１０６から出力された当該コンテンツデータの編集操作に係る操作音を出力するスピーカ１０７と、コンテンツデータをモニタ２０に表示する際にまたは各データの編集時に当該モニタ２０に表示する映像データの表示制御を行う画面表示制御部１０９と、コンテンツデータの編集の際に、編集に必要な操作画面を生成する編集画像制御部１０８と、ＨＤ１０に記録されたコンテンツデータの画像編集および音声編集を行うとともに編集システム１００に係る各部を制御するシステム制御部１１０と、を有し、各部はバス１１１により互いに接続されている。
【００１９】
なお、例えば、本実施形態の録画制御部１０３は、本発明に係る格納制御手段を構成し、ＨＤ１０は、本発明に係る格納手段を構成する。また、例えば、本実施形態の操作入力制御部１０６は、本発明の操作入力手段、検出手段および記憶手段を構成し、編集画像制御部１０８は、本発明の生成手段を構成する。さらに、例えば、本実施形態のシステム制御部１１０は、本発明の編集手段、制御手段、および告知制御手段を構成する。
【００２０】
ＴＶ受信部１０１は、アンテナＡＴを介して各放送局から送信された放送波、例えば、ＶＨＦまたはＢＳなどのＲＦ信号を受信するようになっており、図示しない操作部によって選択された受信帯域に同調するとともに、当該同調することによって受信した信号波をＩＦ（中間周波数）信号に変換し、ＴＶ用の映像信号および音声信号に復調するようになっている。
【００２１】
また、このＴＶ受信部１０１は、当該復調したＴＶ用映像信号およびＴＶ用音声信号を映像信号および音声信号にデコードし、当該デコードした映像信号および音声信号を入力切換部１０２に出力するようになっている。
【００２２】
入力切換部１０２には、ＴＶ受信部１０１から出力された映像信号および音声信号と外部から入力されたアナログの映像信号および音声信号とが入力されるようになっており、この入力切換部１０２は、システム制御部１１０の制御に基づいて、これらの入力された映像信号および音声信号を選択的に切り換えて、録画制御部１０３に出力するようになっている。
【００２３】
録画制御部１０３には、入力切換部１０２から出力された映像信号および音声信号が入力されるようになっており、この録画制御部１０３は、入力された各映像信号および音声信号をデジタル信号に変換するとともに、当該デジタル信号に変換した映像信号と音声信号を予め設定された形式に変換するようになっている。
【００２４】
例えば、本実施形態では、録画制御部１０３は、デジタル信号に変換した映像信号をＭＰＥＧ（Motion Picture Expert Group）フォーマットに、および、当該デジタル信号に変換した音声信号をＡＣ（Audio Coding）−３フォーマットに変換するようになっている。
【００２５】
また、録画制御部１０３は、ＭＰＥＧフォーマットに変換された映像データとＡＣ−３フォーマットに変換された音声データとからプログラムストリームを生成し、当該生成したプログラムストリームをＨＤＤ１０５に出力するようになっている。
【００２６】
なお、この録画制御部１０３は、ＭＰＥＧフォーマットに変換された映像データとＡＣ−３フォーマットに変換された音声データをモニタ２０出力として画面表示制御部１０９に出力することができるようになっている。
【００２７】
一方、コンテンツデータを編集する際に、録画制御部１０３には、システム制御部１１０において編集された映像データおよび音声データを有するコンテンツデータと、編集画像制御部１０８から出力された操作画面の画像データおよびその際に操作入力制御部１０６から出力された操作に係る操作音の音声データと、が入力されるようになっている。
【００２８】
この録画制御部１０３は、上述と同様に、入力されたコンテンツデータに係る映像データをＭＰＥＧフォーマットに、および、入力されたコンテンツデータに係る音声データをＡＣ−３フォーマットに変換するとともに、編集され、かつ、変換されたコンテンツデータからプログラムストリームを生成し、当該生成したプログラムストリームをＨＤＤ１０５に出力するようになっている。
【００２９】
また、録画制御部１０３は、当該コンテンツデータを編集する際に、入力された操作画面の画像データおよび操作音の音声データに基づいて、当該編集に関する情報（以下、編集履歴情報という。）を生成し、上述のプログラムストリームに関連付けて、当該編集履歴情報をＨＤＤ１０５に出力するようになっている。
【００３０】
具体的には、録画制御部１０３は、図２に示すように、編集作業が行われた一連の映像データ毎に、ＨＤ１０に記録される際にコンテンツデータ毎に付されたコンテンツＩＤ番号と、当該編集作業が行われた一連のコンテンツデータにおける編集開始時刻および編集終了時刻を示す時刻情報と、編集内容を示す編集内容情報と、を生成し、編集画像制御部１０８から出力された画像データおよび操作入力制御部１０６から出力された音声データとともに、当該編集されたコンテンツデータのプログラムストリームに関連付けてデータベースが構築されるようＨＤＤ１０５に出力するようになっている。
【００３１】
また、録画制御部１０３は、編集画像制御部１０８から出力された画像データをＭＰＥＧフォーマットに変換するとともに、操作入力制御部１０６から出力された音声データをＡＣ−３フォーマットに変換し、予め設定されたファイル名を付与してＨＤＤ１０５に出力するようになっている。
【００３２】
なお、例えば、編集内容情報によって示されるものには、一連の映像データの区切りを示すチャプタの挿入または削除、当該一連の映像データの削除または加工、および、音声など音データの挿入または加工が含まれ、当該編集画像制御部１０８および操作入力制御部１０６から出力された画像データおよび音声データのファイル名は、システム制御部１０６によって予め設定されるようになっている。
【００３３】
また、編集履歴情報を含む編集されたコンテンツデータにおける記録処理の動作の詳細については、後述する。
【００３４】
再生制御部１０４は、ＨＤＤ１０５から出力された音声データおよび映像データをプログラムストリームから抽出するとともに、当該抽出した映像データおよび音声データをデコードしてシステム制御部１１０、編集画像制御部１０８および画面表示制御部１０９に出力するようになっている。
【００３５】
また、再生制御部１０４は、ＨＤ１０内に構築されたデータベースに格納されているデータをモニタ２０に表示する際に、当該データベースの各データを、ＨＤＤ１０５を介して読み出し、画面表示制御部１０９に出力するようになっている。
【００３６】
特に、本実施形態の再生制御部１０４は、上述のように、既にＨＤ１０に格納され、編集されたコンテンツデータを視聴などにより再生または再生準備のために読み出した際に、当該コンテンツデータが有する履歴情報とともに、当該コンテンツデータと関連付けて格納されている編集画像データを読み出して、画面表示制御部１０９を介してモニタ２０に出力させるようになっている。
【００３７】
また、このとき、再生制御部１０４は、当該コンテンツデータと関連付けて格納されている音データを読み出して、予め定められた処理を施してモニタ２０に設けられたスピーカから出力させるようになっている。
【００３８】
ＨＤＤ１０５は、コンテンツデータ、編集されたコンテンツデータおよびその編集された際のコンテンツデータに関する編集履歴情報をＨＤ１０に記録するようになっており、当該ＨＤ１０におけるデータの読み出しおよび書き込み制御を行いつつ、これらのコンテンツデータ、編集されたコンテンツデータおよび編集履歴情報によってＨＤＤ１０５にデータベースを構築するようになっている。
【００３９】
具体的には、ＨＤＤ１０５には、録画制御部１０３によって生成されたプログラムストリームが入力されるようになっており、このＨＤＤ１０５は、入力されたプログラムストリームをＨＤ１０に記録するとともに、予め記録されたプログラムストリームをＨＤ１０から読み出して再生制御部１０４に出力するようになっている。
【００４０】
また、ＨＤＤ１０５は、録画制御部１０３を介して編集されたコンテンツデータであるプログラムストリームおよび編集履歴情報が入力された場合には、予め定められたＨＤ１０の領域に上述のようなデータベースを構築して当該プログラムストリームおよび編集履歴情報を当該領域に記録するようになっている。
【００４１】
操作入力制御部１０６には、図示しない操作部または外部にあるリモコンを介してユーザの指令を示す予め定められた信号が入力されるようになっており、この操作入力制御部１０６は、入力された信号を操作指令に変換し、システム制御部１１０に出力するようになっている。
【００４２】
また、操作入力制御部１０６は、コンテンツデータを編集する際に、編集に係る操作音を音声処理部およびスピーカ１０７を介して外部に出力するとともに、音声データとして録画制御部１０３に出力するようになっている。
【００４３】
なお、本実施形態の操作入力制御部１０６は、コンテンツデータを編集する際に、複数の編集が行われている場合には、編集当初の操作音または最後に編集した内容を示す操作音を音声データとして録画制御部１０３に出力するようになっている。
【００４４】
さらに、操作入力制御部１０６は、編集画像制御部１０８がコンテンツデータの編集中に、図示しない操作部における編集作業のための指示入力を検出するようになっており、操作入力制御部１０６は、一の編集作業中に、図示しない操作部による当該編集作業における指示入力を一定時間検出しない場合に、その旨をシステム制御部１１０に出力するようになっている。
【００４５】
例えば、本実施形態の操作入力制御部１０６は、複数の編集項目を一の編集作業において行う場合に、当該一の編集作業中に、最後に操作が入力されてから一定時間編集作業における指示入力が検出されなかった場合に、その旨をシステム制御部１１０に出力するようになっている。
【００４６】
なお、編集画像制御部１０８は、後述するように、一の編集作業中に、当該操作部による指示入力を一定時間検出されない場合には、システム制御部１１０の制御に基づいて、当該編集作業における画像データを生成しない、または、既に生成した画像データを破棄するようになっており、当該一の編集作業に係る画像データのＨＤ１０への格納を中止させるようになっている。
【００４７】
画面表示制御部１０９には、録画制御部１０３から出力された映像データまたは音声データ、および、再生制御部１０４から出力された映像データまたは音声データが入力されるようになっており、この画面表示制御部１０９は、当該入力された映像データおよび音声データに基づいてモニタ２０に表示すべき表示データを生成するようになっている。
【００４８】
具体的には、この画面表示制御部１０９は、入力された映像データまたは音声データを内部に設けられたバッファメモリに一時的に保存しつつ、所定のタイミングでバッファメモリから表示データを読み出してモニタ２０に出力するとともに、音声をその全面に設けられたモニタスピーカから出力させるようになっている。
【００４９】
編集画像制御部１０８は、操作入力制御部１０６の指示に基づいて行われるコンテンツデータの編集の際に、編集時に必要な操作画面を画像データ（以下、編集画像データという。）として生成するとともに、生成した編集画像データを録画制御部１０３に出力するようになっている。
【００５０】
例えば、編集画像制御部１０８は、既にＨＤ１０に記録されているコンテンツデータの複数の箇所にチャプタを付し、当該付されたチャプタによってコンテンツデータを編集する場合に、図３に示すように、当該コンテンツデータの編集時の一コマの操作画面を編集画像データとして生成するようになっており、当該生成した画像データを画面表示制御部１０９および録画制御部１０３に出力するようになっている。
【００５１】
本実施形態では、編集画像制御部１０８は、原則、コンテンツデータの編集時に、モニタ２０に出力される編集画像データを録画制御部１０３に出力するようになっているが、チャプタ挿入など再生時にリアルタイムでコンテンツデータを編集するとき、または、複数の編集作業を行ったときは、当該編集作業が行われる当初の一定時間の編集画像データまたは当該編集作業が終了した際の一定時間の画像データを録画制御部１０３に出力するようになっている。
【００５２】
この場合には、編集画像制御部１０８は、コンテンツデータの編集作業中に、編集当初から一定の時間が経過した場合に、その時点に生成されている編集画像データを内部のメモリに格納するようになっており、コンテンツデータの編集が終了した際に当該格納されている編集画像データを録画制御部１０３に出力するようになっている。
【００５３】
なお、本実施形態では、編集画像制御部１０８は、編集開始または編集終了の一定時間に限らず、勿論、編集作業中の任意の時刻から一定時間の編集画像データを録画制御部１０３に出力するようにしてもよいし、編集項目の代表箇所を示す編集画像データの何れか一の編集画像データを録画制御部１０３に出力するようにしてもよい。
【００５４】
また、この編集画像制御部１０８は、上述するように、一の編集作業中に操作入力制御部１０６における図示しない操作部の指示入力を一定時間検出しない旨が入力された場合には、当該編集作業の映像データの編集画像データを生成しない、または、既に生成した画像データを破棄するようになっており、当該一の編集作業に係る画像データのＨＤ１０への格納を中止させるようになっている。
【００５５】
システム制御部１１０は、主に中央演算処理装置（ＣＰＵ）によって構成されるとともに、操作入力制御部１０６を介して入力されたユーザの指示に基づいて、コンテンツデータの編集に際し全般的な機能を総括的に制御するようになっている。
【００５６】
また、このシステム制御部１１０は、録画制御部１０３および再生制御部１０４を制御して、ＨＤ１０に記録されているコンテンツデータを読み出し、映像データおよび音声データの付加、削除、合成などの当該コンテンツデータの加工、チャプタの追加・削除、およびコンテンツデータの一部削除・組み替えを行うようになっており、ＨＤ１０に記録されたコンテンツデータの画像編集および音声編集を行うようになっており、編集したコンテンツデータを、再生制御部１０４を介してモニタ２０に出力するようになっている。
【００５７】
さらに、このシステム制御部１１０は、当該コンテンツデータを編集する際に、操作入力制御部１０６から出力された操作指令に基づいて、操作時の画像データまたは編集内容毎に定められた音を編集画像制御部１０８および操作入力制御部１０６から録画制御部１０３にデータとして出力させるようになっており、編集したコンテンツデータの他に、上述のように、当該各データに基づいて、録画制御部１０３に編集履歴情報を生成させ、ＨＤ１０に記録させるようになっている。
【００５８】
特に、システム制御部１１０は、編集開始時刻および編集終了時刻の編集履歴情報を録画制御部１０３に生成させる際に、当該システム制御部１１０の内部に設けられたタイマーにより当該開始時刻および編集終了時刻を録画制御部１０３に出力するようになっている。
【００５９】
以上のように、本実施形態では、編集されたコンテンツデータとともに編集内容を示す画像データおよび音声データをＨＤ１０に格納させることができるので、ユーザがＨＤ１０に格納され、既に編集されたコンテンツデータを読み出す際に、当該コンテンツデータが有する履歴情報とともに、当該コンテンツデータと関連付けて格納されている編集画像データを読み出して、画面表示制御部１０９を介してモニタ２０に出力させることができるようになっている。
【００６０】
また、このとき、再生制御部１０４は、当該コンテンツデータと関連付けて格納されている音データを読み出して、予め定められた処理を施してスピーカ１０７から出力させることができるようになっている。
【００６１】
したがって、本実施形態の編集システム１００は、編集作業における編集内容を視覚または聴覚により確認することができるので、作業ミスの低減または軽減を図ることができるとともに、効率のよい編集作業を実現することができる。
【００６２】
また、編集履歴情報を含む編集されたコンテンツデータにおける記録処理の動作の詳細については、後述する。
【００６３】
次に、図４を用いて、本実施形態のシステム制御部における編集されたコンテンツデータの記録処理の動作について説明する。
【００６４】
なお、図４は、編集されたコンテンツデータにおける記録処理の動作を示すフローチャートである。
【００６５】
また、本動作では、予めＨＤ１０にコンテンツデータが記録されているとともに、既にチャプタの追加などのコンテンツデータの編集が行われているものとし、複数の編集項目が実行される場合には、編集当初または編集項目の代表箇所の編集画像データがＨＤ１０に格納されるものとする。
【００６６】
まず、システム制御部１１０は、コンテンツデータの編集作業中に、編集画像制御部１０８にコンテンツデータの編集作業の内容を示す編集画像データを生成させ、当該生成した編集画像データを、画面表示制御部１０９を介してモニタ２０に表示させる（ステップＳ１１）。
【００６７】
なお、システム制御部１１０は、コンテンツデータの編集作業中に、操作入力制御部１０６に入力されたユーザの指示に基づいて、コンテンツデータの編集作業を行うとともに、その編集作業の状況に応じて編集画像制御部１０８にコンテンツデータの編集作業の内容を示す編集画像データを順次生成し、当該生成した編集画像データを、画面表示制御部１０９を介してモニタ２０に表示させる。
【００６８】
また、このとき、編集画像制御部１０８は、編集当初の編集画像データを内部のメモリに格納する。
【００６９】
次いで、ユーザによるコンテンツデータの編集が終了し、操作入力制御部１０６にコンテンツデータの編集内容が決定した旨の信号が入力されると、操作入力制御部１０６は、その旨をシステム制御部１１０に出力する（ステップＳ１２）。
【００７０】
なお、このとき、操作入力制御部１０６が、最後に編集作業の操作が入力されてから一定時間内に当該編集作業における指示入力を検出しなかった場合には、この操作入力制御部１０６は、指示入力を検出しなかった旨をシステム制御部１１０に出力し、システム制御部１１０は、編集画像制御部１０８に既に生成した画像データを破棄させ、本動作を終了させる。
【００７１】
次いで、システム制御部１１０に編集内容が決定した旨が入力されると、当該システム制御部１１０は、編集画像制御部１０８の内部に格納されている編集画像データを当該編集画像制御部１０８から録画制御部１０３に出力させる（ステップＳ１３）。
【００７２】
例えば、システム制御部１１０は、図３に示すような画像データを当該編集画像制御部１０８から録画制御部１０３に出力させ、操作入力制御部１０６を制御して当該コンテンツデータの編集時の操作音に係る音声データを録画制御部１０３に出力する。
【００７３】
なお、システム制御部１１０は、コンテンツデータの編集がリアルタイムで行われている場合に、または、複数の編集作業が行われている場合には、編集当初の画像データおよび音声データ、または、最初の編集内容を示す画像データおよび音声データを録画制御部１０３に出力する。
【００７４】
次いで、システム制御部１１０は、録画制御部１０３に編集内容が決定されたコンテンツデータを出力しつつ、当該編集内容が決定されたコンテンツデータの編集開始時刻、編集終了時刻および編集内容の各編集履歴情報を録画制御部１０３に生成させる（ステップＳ１４）。
【００７５】
具体的には、システム制御部１１０は、上述のように、編集開始時刻および編集終了時刻に関して、内部のタイマーにより当該開始時刻および編集終了時刻を録画制御部１０３に出力する。また、このシステム制御部１１０は、ユーザに編集されたコンテンツデータのファイル名に予め設定されたファイル名を付与し、当該ファイル名を録画制御部１０３に出力する。
【００７６】
次いで、録画制御部１０３は、編集内容が決定されたコンテンツデータにおけるプログラムストリームをＨＤ１０に出力するとともに、生成した編集履歴情報をＨＤ１０に出力する（ステップＳ１５）。
【００７７】
最後に、ＨＤＤ１０５は、当該ＨＤＤ１０５に編集内容が決定されたコンテンツデータにおけるプログラムストリームと編集履歴情報が入力されると、入力されたプログラムストリーム編集履歴情報とを互いに関連付けてＨＤ１０に記録し（ステップＳ１６）、本動作を終了させる。
【００７８】
以上本実施形態の編集システム１００は、音データまたは映像データの少なくとも何れか一方を有するコンテンツデータの編集を行うシステム制御部１１０と、当該コンテンツデータの編集を行う際に、当該コンテンツデータの編集作業の内容をユーザに告知するモニタ２０およびスピーカ１０７と、編集されたコンテンツデータとモニタ２０およびスピーカ１０７によってユーザに告知する際に用いられる告知データとが関連付けて格納されるＨＤ１０と、備えた構成を有している。
【００７９】
この構成より、本実施形態では、編集されたコンテンツデータとともに編集内容を示す画像データおよび音声データなどの告知データをＨＤ１０に格納させることができるので、既に編集されたコンテンツデータをＨＤ１０から読み出す際に、当該コンテンツデータと関連付けて格納されている編集画像データを読み出して、画面表示制御部１０９を介してモニタ２０に出力させることができる。
【００８０】
また、このとき、再生制御部１０４は、当該コンテンツデータと関連付けて格納されている音データを読み出して、予め定められた処理を施してモニタスピーカから出力させることができる。
【００８１】
したがって、本実施形態の編集システム１００は、編集作業における編集内容を視覚または聴覚により確認することができるので、作業ミスの低減または軽減を図ることができるとともに、効率のよい編集作業を実現することができる。
【００８２】
また、本実施形態の編集システム１００は、削除、チャプタ挿入またはデータ加工など複数の編集作業の内容を示す編集項目が連続して実行される場合に、ＨＤ１０には、複数の編集項目のうち少なくとも一の編集項目に係る告知データが編集されたコンテンツデータと関連付けて格納される構成を有している。
【００８３】
この構成より、本実施形態では、編集内容を示す編集画像データの格納する容量を低減させることができるので、効率よくＨＤ１０を使用することができる。
【００８４】
また、本実施形態の編集システム１００は、編集作業に用いられ、当該編集作業の指示が入力されるとともに、コンテンツデータの編集中に、当該入力される編集作業のための指示を検出する操作入力部１０６有し、少なくとも一の編集作業中に、システム制御部１１０が、操作入力部１０６による当該編集作業のための指示の入力の検出に基づいて、当該編集作業に係る告知データのＨＤ１０の可否を制御する構成を有している。
【００８５】
この構成より、本実施形態では、編集作業のための入力が最後に入力された時刻より一定時間内に検出できない場合に、ＨＤ１０に既に編集を行った編集項目に係る告知データを格納させないようにすれば、不用意に編集データを格納することなく、編集内容を示す編集画像データの格納する容量を低減させることができる。
【００８６】
また、本実施形態の編集システム１００は、モニタ２０による告知が画像によって行われる場合に、編集作業の内容を示す画像データを生成する編集画像制御部１０８を備え、モニタ２０が、生成された画像データを用いて告知するとともに、ＨＤ１０には、生成された画像データが告知データとしてコンテンツデータと関連付けて格納される構成を有している。
【００８７】
この構成により、本実施形態では、画像データを告知データとして格納させることができるので、既に編集されたコンテンツデータをＨＤ１０から読み出す際に、当該コンテンツデータと関連付けて格納されている編集画像データを読み出して、画面表示制御部１０９を介してモニタ２０に出力させることができる。
【００８８】
したがって、本実施形態の編集システム１００は、編集作業における編集内容を視覚により確認することができるので、作業ミスの低減または軽減を図ることができるとともに、効率のよい編集作業を実現することができる。
【００８９】
また、本実施形態の編集システム１００は、スピーカ１０７による告知が音によって行われる場合に、編集作業の内容を示す音データを予め記憶する操作入力制御部１０６を備え、ＨＤ１０には、システム制御部１１０における編集作業の内容を示す音データが告知データとしてコンテンツデータと関連付けて格納される構成を有している。
【００９０】
この構成により、本実施形態では、音データを告知データとして格納させることができるので、既に編集されたコンテンツデータをＨＤ１０から読み出す際に、当該コンテンツデータと関連付けて格納されている音データを読み出して、モニタスピーカに出力させることができる。
【００９１】
したがって、本実施形態の編集システム１００は、編集作業における編集内容を聴覚により確認することができるので、作業ミスの低減または軽減を図ることができるとともに、効率のよい編集作業を実現することができる。
【００９２】
また、本実施形態の編集システム１００は、ＨＤ１０には、コンテンツデータの編集に係る履歴情報がコンテンツデータおよび告知データに関連付けて格納される構成を有している。
【００９３】
この構成により、本実施形態では、既に編集されたコンテンツデータをＨＤ１０から読み出す際に、編集履歴を示す履歴情報を読み出して、モニタスピーカに出力させることができる。
【００９４】
したがって、本実施形態の編集システム１００は、編集作業における編集内容を視覚または聴覚により確認することができるとともに、当該編集されたコンテンツデータの編集履歴も確認することができるので、作業ミスの低減または軽減を図ることができるとともに、効率のよい編集作業を実現することができる。
【００９５】
なお、本実施形態では、ＨＤＤ１０５を介してＨＤ１０に編集されたコンテンツデータを記録する記録処理の動作を、録画制御部１０３、編集画像制御部１０８、および、システム制御部１１０によって実行するようになっているが、当該記録処理の動作を規定するプログラムが記録された記録媒体と、それを読み取るコンピュータと、を備え、このコンピュータで当該プログラムを読み込むことによって上述と同様の記録処理の動作を行うようにしてもよい。
【００９６】
〔第２実施形態〕
次に、図５、図６を用いて編集システムの第２実施形態について説明する。
【００９７】
なお、本実施形態の編集システムは、第１実施形態における映像データおよび音声データを有するコンテンツデータの編集処理に対して編集履歴情報を記録する点に代えて、オーディオデータを有するコンテンツデータの編集処理に対して編集履歴情報を記録する点に特徴がある。
【００９８】
また、本実施形態では、当該特徴点の他の構成は、第１実施形態と同様であるため、同一部材には同一番号を付して説明を省略する。
【００９９】
まず、図５を用いて本実施形態における編集システムの構成について説明する。
【０１００】
なお、図５は、本実施形態における編集システムのシステム構成を示すブロック図である。
【０１０１】
本実施形態の編集システム２００は、図５に示すように、入力されたオーディオ信号をオーディオデータに変換してハードディスク（以下、ＨＤという。）１０に録音させる録音再生制御部２０１と、オーディオデータ、編集されたオーディオデータおよびその編集された際のオーディオデータに関するデータを記憶するＨＤ１０を有し、当該ＨＤ１０における各データの読み込みまたは書き込み制御を行うハードディスクドライブ（以下、ＨＤＤという。）１０５と、図示しない操作部またはリモコンを介して入力された当該編集システム２００に係る操作指令を受信する操作入力制御部１０６と、コンテンツデータの編集の際に、操作入力制御部１０６から出力された当該コンテンツデータの編集操作に係る操作音を出力するスピーカ１０７と、オーディオデータの再生・録音および編集を行う際に、再生などの操作内容およびオーディデータの内容を表示するパネル表示部２０２と、オーディオデータの編集の際に、編集に必要なパネル表示画面を生成する編集画像制御部２０３と、ＨＤ１０に記録されたオーディオデータの編集を行うとともに編集システム２００に係る各部を制御するシステム制御部２０４と、を有している。
【０１０２】
なお、例えば、本実施形態の録画再生制御部２０１は、本発明に係る格納制御手段を構成し、ＨＤ１０は、本発明に係る格納手段を構成する。また、例えば、本実施形態の操作入力制御部１０６は、本発明の操作入力手段、検出手段および記憶手段を構成し、編集画像制御部２０３は、本発明の生成手段を構成する。さらに、例えば、本実施形態のシステム制御部２０４は、本発明の編集手段、制御手段および告知制御手段を構成する。
【０１０３】
録音再生制御部２０１には、外部からオーディオ信号が入力されるようになっており、この録音再生制御部２０１は、入力されたオーディオ信号をデジタル信号に変換するとともに、当該デジタル信号に変換した音声信号を予め設定された形式に変換し、当該変換したオーディオデータをＨＤＤ１０５に出力するようになっている。
【０１０４】
例えば、本実施形態では、録画制御部２０１は、デジタル信号に変換した音声信号をＡＣ（Audio Coding）−３フォーマットに変換するようになっている。
【０１０５】
また、この録音再生制御部２０１は、編集時には、ＡＣ−３フォーマットに変換されたオーディオデータをモニタ出力として、再生時には、ＨＤ１０より当該オーディオデータを読み出して、外部に接続された電力増幅器３０を介してスピーカ４０から出力させるようになっている。
【０１０６】
一方、録音再生制御部２０１には、オーディオデータを編集する際に、システム制御部２０４において編集されたオーディオデータと、後述するように、編集画像制御部２０３から出力されたパネル表示部２０２のテキストデータおよびその際に操作入力制御部１０６から出力された操作に係る音声データと、が入力されるようになっており、この録音再生制御部２０１は、上述と同様に、編集されたオーディオデータをＡＣ−３フォーマットに変換し、当該変換したオーディオデータをＨＤＤ１０５に出力するようになっている。
【０１０７】
また、録音再生制御部２０１は、当該オーディオデータを編集する際に、第１実施形態と同様に、入力されたテキストデータおよび音声データに基づいて、当該編集に関する編集履歴情報を生成し、上述のオーディオデータとともに、当該編集履歴情報をＨＤＤ１０５に出力するようになっている。
【０１０８】
なお、例えば、このデータベースに係る編集内容には、一連のオーディオデータの区切りを示すチャプタの挿入、削除、当該オーディオデータの削除、加工が含まれるようになっており、当該編集画像制御部２０３および操作入力制御部１０６から出力されたテキストデータおよび音声データのファイル名は、システム制御部２０４によって予め設定されるようになっている。
【０１０９】
また、編集履歴情報を含む編集されたオーディオデータにおける記録処理の動作の詳細については、後述する。
【０１１０】
ＨＤＤ１０５は、オーディオデータ、テキストデータ、操作音を示す音データおよび記録するオーディデータに関する編集履歴情報をＨＤ１０に記録するようになっており、当該ＨＤ１０におけるデータの読み出しおよび書き込み制御を行うようになっている。
【０１１１】
なお、本実施形態では、この記録するオーディオデータ、テキストデータおよび音声データおよび編集履歴情報によってデータベースが構築されるようになっている。
【０１１２】
具体的には、ＨＤＤ１０５には、録音再生制御部２０１によって生成されたオーディオデータその他のデータが入力されるようになっており、このＨＤＤ１０５は、入力されたオーディオデータをＨＤ１０に記録するとともに、予め記録されたオーディオデータをＨＤ１０から読み出して録音再生制御部２０１に出力するようになっている。
【０１１３】
また、ＨＤＤ１０５は、録音再生制御部２０１を介して編集されたオーディオデータが入力された場合には、予め定められたＨＤ１０の領域に上述のようなデータベースを構築して当該オーディオデータおよび編集履歴情報を当該領域に記録するようになっている。
【０１１４】
パネル表示部２０２は、主にＬＣＤによって構成され、オーディオデータの再生・録音および編集を行う際に、パネル表示制御部の制御により、再生などの操作内容およびオーディデータの内容を表示するテキストデータを表示するとともに、オーディオデータの編集の際に、編集に必要なパネル表示画面を生成する。
【０１１５】
編集画像制御部２０３は、操作入力制御部１０６の指示に基づいて行われるオーディオデータの編集の際に、パネル表示部２０２に表示させる編集内容を示すテキストデータを生成するとともに、生成したテキストデータをパネル表示部２０２および録音再生制御部２０１に出力するようになっている。
【０１１６】
例えば、編集画像制御部２０３は、第１実施形態と同様に、オーディオデータの編集時の一コマの操作画面をテキストデータとして生成するようになっており、当該生成したテキストデータをパネル表示部２０２および録音再生制御部２０１に出力するようになっている。
【０１１７】
なお、本実施形態でも、第１実施形態と同様に、編集画像制御部２０３は、原則、オーディオデータの編集時に、パネル表示部２０２に出力される編集画面を録画再生制御部２０１に出力するようになっているが、チャプタ挿入など再生時にリアルタイムでオーディオデータを編集するとき、または、複数の編集作業を行ったときは、当該編集作業が行われ始めの一定時間のテキストデータまたは当該編集作業が終了した際の一定時間のテキストデータを録画再生制御部２０１に出力するようになっている。
【０１１８】
この場合には、編集画像制御部２０３は、コンテンツデータの編集作業中に、編集当初から一定の時間が経過した場合に、その時点に生成されているテキストデータを内部のメモリに格納するようになっており、オーディオデータの編集が終了した際に当該格納されているテキストデータを録画再生制御部２０１に出力するようになっている。
【０１１９】
なお、本実施形態では、編集画像制御部２０３は、編集開始または編集終了の一定時間に限らず、勿論、編集作業中の任意の時刻から一定時間の編集画像データを録画再生制御部２０１に出力するようにしてもよいし、編集項目の代表箇所を示す編集画像データの何れか一の編集画像データを録画制御部２０１に出力するようにしてもよい。
【０１２０】
また、この編集画像制御部２０３は、第１実施形態と同様に、一の編集作業中に操作入力制御部１０６における図示しない操作部の指示入力を一定時間検出しない旨が入力された場合には、当該編集作業の映像データの編集画像データを生成しない、または、既に生成した画像データを破棄するようになっており、当該一の編集作業に係る画像データのＨＤ１０への格納を中止させるようになっている。
【０１２１】
システム制御部２０４は、第１実施形態と同様に、主に中央演算処理装置（ＣＰＵ）によって構成されるとともに、操作入力制御部１０６を介して入力されたユーザの指示に基づいて、オーディオデータの編集に際し全般的な機能を総括的に制御するようになっている。
【０１２２】
次に、図６を用いて、本実施形態のシステム制御部における編集されたオーディオデータの記録処理の動作について説明する。
【０１２３】
なお、図６は、編集されたオーディオデータにおける記録処理の動作を示すフローチャートである。
【０１２４】
また、本動作では、予めＨＤ１０にオーディオデータが記録されているとともに、既にチャプタの追加などのオーディオデータの編集が行われているものとし、複数の編集項目が実行される場合には、編集当初または編集項目の代表箇所のテキストデータがＨＤ１０に格納されるものとする。
【０１２５】
まず、システム制御部２０４は、オーディオデータの編集作業中に、編集画像制御部１０８にオーディオデータの編集作業の内容を示すテキストデータを生成させ、当該生成したテキストデータを、パネル表示部２０２に表示させる（ステップＳ２１）。
【０１２６】
なお、システム制御部２０４は、オーディオデータの編集作業中に、操作入力制御部１０６に入力されたユーザの指示に基づいて、オーディオデータの編集作業を行うとともに、その編集作業の状況に応じて編集画像制御部２０３にオーディオデータの編集作業の内容を示すテキストデータを順次生成し、当該生成したテキストデータを、パネル表示部に表示させる。
【０１２７】
また、このとき、編集画像制御部２０３は、編集当初のテキストデータを内部のメモリに格納する。
【０１２８】
次いで、ユーザによるコンテンツデータの編集が終了し、操作入力制御部１０６にコンテンツデータの編集内容が決定した旨の信号が入力されると、操作入力制御部１０６は、その旨をシステム制御部２０４に出力する（ステップＳ２２）。
【０１２９】
なお、このとき、操作入力制御部１０６が、最後に編集作業の操作が入力されてから一定時間内に当該編集作業における指示入力を検出しなかった場合には、この操作入力制御部１０６は、指示入力を検出しなかった旨をシステム制御部２０４に出力し、システム制御部２０４は、編集画像制御部２０３に既に生成した画像データを破棄させ、本動作を終了させる。
【０１３０】
次いで、システム制御部２０４に編集内容が決定した旨が入力されると、当該システム制御部２０４は、編集画像制御部２０３にテキストデータを生成させ、パネル表示部２０２に表示されているテキストデータを当該編集画像制御部２０３から録音再生制御部２０１に出力させる（ステップＳ２３）。
【０１３１】
また、このとき、第１実施形態と同様に、システム制御部２０４は、操作入力制御部１０６を制御して当該オーディオデータの編集時の操作音に係る音声データを録画制御部に出力する。
【０１３２】
なお、システム制御部２０４は、第１実施形態と同様に、コンテンツデータの編集がリアルタイムで行われている場合に、または、複数の編集作業が行われている場合には、編集当初のテキストデータおよび音声データ、または、最初の編集内容を示すテキストデータおよび音声データを録音再生制御部２０１に出力する。
【０１３３】
次いで、システム制御部２０４は、録音再生制御部２０１に編集内容が決定されたオーディオデータを出力しつつ、当該編集内容が決定されたオーディオデータの編集開始時刻、編集終了時刻および編集内容の各編集履歴情報を録音再生制御部２０１に生成させる（ステップＳ２４）。
【０１３４】
具体的には、システム制御部２０４は、第１実施形態と同様に、編集開始時刻および編集終了時刻に関して、内部のタイマーにより当該開始時刻および編集終了時刻を録画制御部に出力する。また、このシステム制御部２０４は、ユーザに編集されたコンテンツデータのファイル名に予め設定されたファイル名を付与し、当該ファイル名を録画制御部に出力する。
【０１３５】
次いで、録音再生制御部２０１は、編集内容が決定されたオーディオデータを予め設定されたＡＣ−３フォーマット形式に変換してＨＤ１０に出力するとともに、生成した編集履歴情報をＨＤ１０に出力する（ステップＳ２５）。
【０１３６】
最後に、ＨＤＤ１０５は、ＡＣ−３フォーマット形式を有するオーディオデータと編集履歴情報が入力されると、入力されたオーディオデータと編集履歴情報を互いに関連付けてＨＤ１０に記録し（ステップＳ２６）、本動作を終了させる。
【０１３７】
以上本実施形態の編集システム２００は、オーディオデータの編集を行うシステム制御部２０４と、当該オーディオデータの編集を行う際に、当該オーディオデータの編集作業の内容をユーザに告知するパネル表示部２０２およびスピーカ１０７と、編集されたオーディオデータとパネル表示部２０２およびスピーカ１０７によってユーザに告知する際に用いられる告知データとが関連付けて格納されるＨＤ１０と、備えた構成を有している。
【０１３８】
この構成より、本実施形態では、編集されたオーディオデータとともに編集内容を示すテキストデータおよび音データなどの告知データをＨＤ１０に格納させることができるので、既に編集されたオーディオデータをＨＤ１０から読み出す際に、当該オーディオデータと関連付けて格納されているテキストデータを読み出して、パネル表示部２０２に出力させることができる。
【０１３９】
また、このとき、録音再生制御部２０１は、当該オーディオデータと関連付けて格納されている音データを読み出して、予め定められた処理を施してスピーカ１０７から出力させることができる。
【０１４０】
したがって、本実施形態の編集システム２００は、編集作業における編集内容を視覚または聴覚により確認することができるので、作業ミスの低減または軽減を図ることができるとともに、効率のよい編集作業を実現することができる。
【０１４１】
また、本実施形態の編集システム２００は、削除、チャプタ挿入またはデータ加工など複数の編集作業の内容を示す編集項目が連続して実行される場合に、ＨＤ１０には、複数の編集項目のうち少なくとも一の編集項目に係る告知データが編集されたオーディオデータと関連付けて格納される構成を有している。
【０１４２】
この構成より、本実施形態では、編集内容を示すテキストデータの格納する容量を低減させることができるので、効率よくＨＤ１０を使用することができる。
【０１４３】
また、本実施形態の編集システム２００は、編集作業に用いられ、当該編集作業の指示が入力されるとともに、コンテンツデータの編集中に、当該入力される編集作業のための指示を検出する操作入力部１０６有し、少なくとも一の編集作業中に、システム制御部２０４が、操作入力部１０６による当該編集作業のための指示の入力の検出に基づいて、当該編集作業に係る告知データのＨＤ１０の可否を制御する構成を有している。
【０１４４】
この構成より、本実施形態では、編集作業のための入力が最後に入力された時刻より一定時間内に検出できない場合に、ＨＤ１０に既に編集を行った編集項目に係る告知データを格納させないようにすれば、不用意に編集データを格納することなく、編集内容を示す編集画像データの格納する容量を低減させることができる。
【０１４５】
また、本実施形態の編集システム２００は、パネル表示部２０２による告知が画像によって行われる場合に、編集作業の内容を示すテキストデータを生成する編集画像制御部２０３を備え、パネル表示部２０２が、生成されたテキストデータを用いて告知するとともに、ＨＤ１０には、生成されたテキストデータが告知データとしてオーディオデータと関連付けて格納される構成を有している。
【０１４６】
この構成により、本実施形態では、テキストデータを告知データとして格納させることができるので、既に編集されたオーディオデータをＨＤ１０から読み出す際に、当該オーディオデータと関連付けて格納されているテキストデータを読み出して、パネル表示部２０２に出力させることができる。
【０１４７】
したがって、本実施形態の編集システム２００は、編集作業における編集内容を視覚により確認することができるので、作業ミスの低減または軽減を図ることができるとともに、効率のよい編集作業を実現することができる。
【０１４８】
また、本実施形態の編集システム２００は、スピーカ１０７による告知が音によって行われる場合に、編集作業の内容を示す音データを予め記憶する操作入力制御部１０６を備え、ＨＤ１０には、システム制御部２０４における編集作業の内容を示す音データが告知データとしてオーディオデータと関連付けて格納される構成を有している。
【０１４９】
この構成により、本実施形態では、音データを告知データとして格納させることができるので、既に編集されたオーディオデータをＨＤ１０から読み出す際に、当該オーディオデータと関連付けて格納されている音データを読み出して、スピーカ１０７に出力させることができる。
【０１５０】
したがって、本実施形態の編集システム２００は、編集作業における編集内容を聴覚により確認することができるので、作業ミスの低減または軽減を図ることができるとともに、効率のよい編集作業を実現することができる。
【０１５１】
また、本実施形態の編集システム２００は、ＨＤ１０には、オーディオデータの編集に係る履歴情報がオーディオデータおよび告知データに関連付けて格納させる構成を有している。
【０１５２】
この構成により、本実施形態では、既に編集されたオーディオデータをＨＤ１０から読み出す際に、編集履歴を示す履歴情報を読み出して、スピーカ１０７に出力させることができる。
【０１５３】
したがって、本実施形態の編集システム２００は、編集作業における編集内容を視覚または聴覚により確認することができるとともに、当該編集されたオーディオデータの編集履歴も確認することができるので、作業ミスの低減または軽減を図ることができるとともに、効率のよい編集作業を実現することができる。
【０１５４】
なお、本実施形態では、編集されたコンテンツデータとともにＨＤ１０に記録するデータとして、パネル表示されたテキストデータを記録するようになっているが、編集作業に関する図示しない操作ボタンの一部を光らせるようにしてもよい。
【０１５５】
この場合、各操作ボタンの一部を光らせる構成を有するとともに、テキストデータに代えて当該操作ボタンを光らせる制御データを格納させるように構成させ、編集されたコンテンツデータを指定して視聴等を行う際に、システム制御部２０４が当該制御データに基づいて、操作部を光らせるようにしてもよい。
【０１５６】
また、本実施形態では、ＨＤＤ１０５を介してＨＤ１０に編集されたコンテンツデータを記録する記録処理の動作を、録画制御部、編集画像制御部２０３、および、システム制御部２０４によって実行するようになっているが、当該記録処理の動作を規定するプログラムが記録された記録媒体と、それを読み取るコンピュータと、を備え、このコンピュータで当該プログラムを読み込むことによって上述と同様の記録処理の動作を行うようにしてもよい。
【図面の簡単な説明】
【０１５７】
【図１】本願に係る第１実施形態の編集システムのシステム構成を示すブロック図である。
【図２】第１実施形態における編集された一連の映像データを記録するデータベース構造の一例である。
【図３】第１実施形態におけるコンテンツデータを編集する際の編集画像データの一例である。
【図４】第１実施形態における編集されたコンテンツデータにおける記録処理の動作を示すフローチャートである。
【図５】本願に係る第２実施形態における編集システムのシステム構成を示すブロック図である。
【図６】第２実施形態における編集されたオーディオデータにおける記録処理の動作を示すフローチャートである。
【符号の説明】
【０１５８】
１００、２００  …  編集システム
１０１  …  ＴＶ受信部
１０２  …  入力切換部
１０３  …  録画制御部
１０４  …  再生制御部
１０５  …  ＨＤＤ
１０６  …  操作入力制御部
１０７  …  スピーカ
１０８、２０３  …  編集画像制御部
１０９  …  画面表示制御部
１１０、２０４  …システム制御部
２０１  …  録音再生制御部
２０２  …  パネル制御部
【図１】
2005094391.tif 000003
【図２】
2005094391.tif 000004
【図３】
2005094391.tif 000005
【図４】
2005094391.tif 000006
【図５】
2005094391.tif 000007
【図６】
2005094391.tif 000008